(57)【特許請求の範囲】
【請求項１】
入力情報を収集して表示するとともにその収集した情報を記憶する情報処理装置において、
複数種類の情報を入力するそれぞれの情報入力手段と、
同一表示面上に表示すべき情報としてそれぞれの情報のうちの少なくとも２つが入力されると、入力されたそれぞれの情報が、同一のページに関連づけられた情報として指定されたアドレスに書き込まれるデータ記憶手段と、
前記データ記憶手段に蓄えられた情報が、画面上に開かれた表示面の表示情報として書き込まれる表示用記憶手段と、
入力された情報を消去するための２つの消去手段と、
これら各手段を制御する制御手段と、
を有し、
前記データ記憶手段に蓄えられた関連づけられた複数種類の情報を、画面上に開かれた表示面上の表示情報として前記表示用記憶手段に書き込む際、入力された情報の種類ごとに書き込み順序を設定し、その順序に従って、情報の種類毎に表示用記憶手段に順次書き込んで表示し、かつ、取り込んだ情報の消去を行う際に、前記２つの消去手段のいずれか一方が操作されたときは、同一表示面に表示すべき情報として入力された情報のうち、前記情報入力手段によって入力された情報に基づいて指示された部分の情報のみを消去することを特徴とする情報処理装置。
【請求項２】
前記２つの消去手段の両方が操作されたときは、同一表示面に表示すべき情報として入力された情報すべてを消去するようにしたことを特徴とする請求項１記載の情報処理装置。
【請求項３】
前記同一表示面上に表示すべき情報として入力されるそれぞれの情報は、画像情報、音情報、文字・線画情報のうち、少なくとも２つであることを特徴とする請求項１または請求項２記載の情報処理装置。
【請求項４】
前記同一表示面上に表示すべき情報として入力されるそれぞれの情報は、画像情報、音情報、文字・線画情報であることを特徴とする請求項１または請求項２記載の情報処理装置。
【請求項５】
前記複数種類の情報を入力するそれぞれの情報入力手段は、画面がタッチされることにより文字・線画情報を入力するとともに入力した情報を表示する入力表示一体型のタブレット、画像の入力を行う画像入力手段、音の入力を行う音入力手段のうち、少なくとも２つの情報入力手段であって、これらの情報入力手段によって取り込まれる文字・線画情報、画像情報、音情報のうち少なくとも２種類の情報を、同一のページに関連づけられた情報として扱うことを特徴とする請求項１、２、３、４のいずれかに記載の情報処理装置。
【請求項６】
前記複数種類の情報を入力するそれぞれの情報入力手段は、画面がタッチされることにより文字・線画情報を入力するとともに入力した情報を表示する入力表示一体型のタブレット、画像の入力を行う画像入力手段、音の入力を行う音入力手段であって、これらの３種類の情報入力手段によって取り込まれる文字・線画情報、画像情報、音情報の３種類の情報を、同一のページに関連づけられた情報として扱うことを特徴とする請求項１、２、３、４のいずれかに記載の情報処理装置。
【請求項７】
前記入力された情報の種類ごとに設定された順序に従って表示用記憶手段に順次書き込む処理は、後の順位に設定された情報を前に書き込まれた情報に対して上書きすることを特徴とする請求項１、２、３、４、５、６のいずれかに記載の情報処理装置。
【請求項８】
前記同一表示面に表示すべき関連づけられた情報がページ単位で入力されることを特徴とする請求項１、２、３、４、５、６、７のいずれかに記載の情報処理装置。
【請求項９】
入力情報を収集して表示するとともにその収集した情報を記憶する情報処理方法において、
制御手段が、同一表示面上に表示すべき情報としてそれぞれの情報のうちの少なくとも２つが入力されると、入力されたそれぞれの情報を、同一のページに関連づけられた情報としてデータ記憶手段の指定されたアドレスに書き込んだのち、このデータ記憶手段内の関連づけられた複数種類の情報を、画面上に開かれた表示面の表示情報として表示用記憶手段に書き込み、この表示用記憶手段への書き込みを行う際、前記データ記憶手段内の関連づけられた情報に対して表示用記憶手段への書き込み順序を設定し、その順序に従って、前記関連づけられた情報を表示用記憶手段に順次書き込んで表示し、さらに、取り込んだ情報の消去を行うための２つの消去手段を設け、前記２つの消去手段のいずれか一方が操作されたときは、同一表示面に表示すべき情報として入力された情報のうち、前記情報入力手段によって入力された情報に基づいて指示された部分の情報のみを消去する処理を行うことを特徴とする情報処理方法。
【請求項１０】
前記２つの消去手段の両方が操作されたときは、同一表示面に表示すべき情報として入力された情報すべてを消去するようにしたことを特徴とする請求項９記載の情報処理方法。
【請求項１１】
前記同一表示面上に表示すべき情報として入力されたそれぞれの情報は、画像情報、音情報、文字・線画情報の少なくとも２つであることを特徴とする請求項１０記載の情報処理方法。
【請求項１２】
前記同一表示面上に表示すべき情報として入力されたそれぞれの情報は、画像情報、音情報、文字・線画情報であることを特徴とする請求項１０記載の情報処理方法。
【請求項１３】
前記入力された情報の種類ごとに設定された順序に従って表示用記憶手段に順次書き込む処理は、後の順位に設定された情報を前に書き込まれた情報に対して上書きすることを特徴とする請求項９、１０、１１、１２のいずれかに記載の情報処理方法。
【請求項１４】
前記同一表示面に表示すべき関連づけられた情報がページ単位で入力されることを特徴とする請求項９、１０、１１、１２、１３のいずれかに記載の情報処理方法。
【発明の詳細な説明】
【０００１】
【発明の属する技術分野】
本発明は、たとえば電子メモ帳などの情報処理機器などにおいて、音声、画像、文字などの情報を効率よく入力可能とした情報収処理装置および情報処理方法に関する。
【０００２】
【従来の技術】
最近、携帯用の情報収集機器として、電子メモ帳などが普及してきた。この電子メモ帳は、タブレット画面上に入力ペンなどで書き込んだ情報を記録する機能は勿論、最近では、画像や音声をも取り込むことができるものも開発されつつあり、その機能はますます多様化し、より利便性の高いものとなってきている。
【０００３】
図１３はタブレット画面上に入力ペンなどで書き込んだ情報を記録する機能の他に、画像や音声をも取り込む機能を有した携帯用情報収集機器の従来の概略的な構成を示す図であり、ＣＰＵ１、処理プログラムなどが記憶されたＲＯＭ２、収集した情報を蓄えるデータ記憶部３、ディジタイザ４とＬＣＤ５が一体となった入力表示一体型のタブレット６、画像入力部７、音声入力部８、音声出力部９、情報収集メニュー選択部１０、これら各部と前記ＣＰＵ１を接続するシステムバス１１などから構成されている。
【０００４】
【発明が解決しようとする課題】
従来のこの種の携帯用情報収集機器は、その構成から見れば、確かに、タブレット６から取り込まれる文字や線画などのペン入力情報（インク情報という）だけでなく、画像や音声情報をも取り込むことのできるようになっている。
【０００５】
しかし、従来の携帯用情報収集機器は、それぞれの情報を入力する際は、情報収集メニュー選択部１１によりメニュー選択、つまり、取り込む情報の種類に応じて、モードの設定を行った後、情報の取り込みを行うという操作が必要であった。たとえば、画像入力する場合は、モードを画像入力として画像の取り込みを行い、そのあと、タブレット上で文字入力を行う場合は、モードを文字入力に切り替えて文字の取り込みを行うという操作手順が必要であった。
【０００６】
また、携帯用情報収集機器としての使い勝手として、取り込まれた画像情報、音声情報、インク情報のそれぞれの情報は、本来、或る１つのページ単位のまとまりのデータ（これをここではページデータという）として取り扱われる方が好都合である。たとえば、或る製品の情報を１ページ（１画面）分の情報として記録する場合は、その製品の画像を取り込むとともに、その画像に対する説明などを音声やペン入力によるインク情報としてつけ加えるというように、１ページごとに画像、音声、インク情報を１つのページデータとして取り扱う方が好都合である。
【０００７】
すなわち、ユーザが思うままに取り込んだ画像情報、音声情報、インク情報などのマルチメディア情報を、ページごとの１つのまとまったページデータとして、記憶手段に記憶させるという処理は、ユーザが何の操作も行わずに、ユーザが意識することなく自動的になされることが望ましい。
【０００８】
しかしながら、従来のこの種の携帯用情報収集機器にあっては、画像情報、音声情報、インク情報の各情報を、ユーザの操作を伴わずに自動的に各ページ毎のページデータとして取り扱うことは行われていなかった。
【０００９】
このように、従来の携帯用情報収集機器は、取り込む情報の種類に応じて、その都度、モードの設定を行った後に、そのモードに対応した情報の取り込みを行うという操作が必要であり、また、取り込んだ画像、音声、インク情報の各情報を、ユーザが意識することなく各ページ毎にまとまったページデータとして取り扱うというものではないため、使い勝手において問題があり、改善の余地が有った。
【００１０】
そこで、本発明は、画像情報、音声情報、インク情報などの複数種類の情報を取り込む際、その都度、取り込む情報に応じたモードを設定する必要がなく、ユーザの思うまま自由にどの情報も入力可能なきわめて使い勝手のよい情報処理装置および情報処理方法を実現することを目的とする。
【００１１】
【課題を解決するための手段】
本発明の情報処理装置は、請求項１に記載されるように、入力情報を収集して表示するとともにその収集した情報を記憶する情報処理装置において、同一表示面上に表示すべき情報として任意に入力されるそれぞれの情報を、それぞれが関連づけられた情報として記憶する手段と、前記関連づけられたそれぞれの情報を、画面上に開かれた表示面の表示情報として表示する手段とを有することを特徴としている。
【００１２】
前記同一表示面上に表示すべき情報として任意に入力されるそれぞれの情報は、画像情報、音情報、文字・線画情報のうち、少なくとも２つとしている。また、前記同一表示面上に表示すべき情報として任意に入力されるそれぞれの情報は、画像情報、音情報、文字・線画情報のすべてを用いるようにしてもよい。
【００１３】
また、本発明の情報処理装置は、請求項４に記載されるように、入力情報を収集して表示するとともにその収集した情報を記憶する情報処理装置において、複数種類の情報を入力するそれぞれの情報入力手段と、同一表示面上に表示すべき情報としてそれぞれの情報が任意に入力されると、入力されたそれぞれの情報が、関連づけられた情報として指定されたアドレスに書き込まれるデータ記憶手段と、
前記データ記憶手段に蓄えられた情報が、画面上に開かれた表示面の表示情報として書き込まれる表示用記憶手段と、これら各手段を制御する制御手段とを有し、前記データ記憶手段内の関連づけられた複数種類の情報を、画面上に開かれた表示面上の表示情報として前記表示用記憶手段に書き込む際、入力された情報の種類ごとに書き込み順序を設定し、その順序に従って、情報の種類毎に表示用記憶手段に順次書き込んで表示することを特徴としている。
【００１４】
前記複数種類の情報を入力するそれぞれの情報入力手段は、画面がタッチされることにより文字・線画情報を入力するとともに入力した情報を表示する入力表示一体型のタブレット、画像の入力を行う画像入力手段、音の入力を行う音入力手段のうち、少なくとも２つの情報入力手段であって、これらの情報入力手段によって取り込まれる文字・線画情報、画像情報、音情報のうち少なくとも２種類の情報を、関連づけられた情報として扱うようにしている。
【００１５】
また、前記複数種類の情報を入力するそれぞれの情報入力手段は、画面がタッチされることにより文字・線画情報を入力するとともに入力した情報を表示する入力表示一体型のタブレット、画像の入力を行う画像入力手段、音の入力を行う音入力手段であって、これらの３種類の情報入力手段によって取り込まれる文字・線画情報、画像情報、音情報の３種類の情報を、関連づけられた情報として扱うようにしてもよい。
【００１６】
そして、前記入力された情報の種類ごとに設定された順序に従って表示用記憶手段に順次書き込む処理は、後の順位に設定された情報を前に書き込まれた情報に対して上書きする。
【００１７】
また、前記同一表示面に表示すべき関連づけられた情報は、それぞれのページ毎に入力される情報である。
【００１８】
また、本発明の情報処理装置は、請求項９に記載されるように、入力情報を収集して表示するとともにその収集した情報を記憶する情報処理装置において、複数種類の情報を入力するそれぞれの情報入力手段と、同一表示面上に表示すべき情報としてそれぞれの情報が任意に入力されると、入力されたそれぞれの情報が、関連づけられた情報として指定されたアドレスに書き込まれるデータ記憶手段と、
前記データ記憶手段に蓄えられた情報が、画面上に開かれた表示面の表示情報として書き込まれる表示用記憶手段と、入力された情報を消去するための消去手段と、これら各手段を制御する制御手段とを有し、前記データ記憶手段に蓄えられた関連づけられた複数種類の情報を、画面上に開かれた表示面上の表示情報として前記表示用記憶手段に書き込む際、入力された情報の種類ごとに書き込み順序を設定し、その順序に従って、情報の種類毎に表示用記憶手段に順次書き込んで表示し、かつ、取り込んだ情報の消去を行う際は、前記消去手段を操作することにより、同一表示面に表示すべき情報として入力された任意の情報を消去することを特徴としている。
【００１９】
そして、前記消去手段を２つ設け、いずれか一方を操作したときは、同一表示面に表示すべき情報として入力された情報のうち、指示された部分の情報のみを消去し、両方を操作したときは、同一表示面に表示すべき情報として入力された情報すべてを消去するようにしている。
【００２０】
また、本発明の情報処理方法は、請求項１１に記載されるように、入力情報を収集して表示するとともにその収集した情報を記憶する情報処理方法において、同一表示面上に表示すべき情報として任意に入力されたそれぞれの情報を、それぞれが関連づけられた情報として扱い、その関連づけられたそれぞれの情報を、画面上に開かれた表示面の表示情報として表示するようにしたことを特徴としている。
【００２１】
前記同一表示面上に表示すべき情報として任意に入力されるそれぞれの情報は、画像情報、音情報、文字・線画情報のうち、少なくとも２つである。また、前記同一表示面上に表示すべき情報として任意に入力されるそれぞれの情報は、画像情報、音情報、文字・線画情報の全てを用いるようにしてもよい。
【００２２】
また、本発明の情報処理方法は、請求項１４に記載されるように、入力情報を収集して表示するとともにその収集した情報を記憶する情報処理方法において、同一表示面上に表示すべき情報として任意に入力されるそれぞれの情報を、それぞれ関連づけられた情報としてデータ記憶手段の指定されたアドレスに書き込んだのち、このデータ記憶手段内の関連づけられた複数種類の情報を、開かれた表示画面の表示情報として表示用記憶手段に書き込み、この表示用記憶手段への書き込みを行う際、前記データ記憶手段内の関連づけられた情報に対して表示用記憶手段への書き込み順序を設定し、その順序に従って、前記関連づけられた情報を表示用記憶手段に順次書き込んで表示することを特徴としている。
【００２３】
前記同一表示面上に表示すべき情報として任意に入力されたそれぞれの情報は、画像情報、音情報、文字・線画情報の少なくとも２つである。
【００２４】
また、前記同一表示面上に表示すべき情報として任意に入力されたそれぞれの情報は、画像情報、音情報、文字・線画情報の全てを用いてもよい。
【００２５】
また、前記入力された情報の種類ごとに設定された順序に従って表示用記憶手段に順次書き込む処理は、後の順位に設定された情報を前に書き込まれた情報に対して上書きするようにしている。
【００２６】
また、前記同一表示面に表示すべき関連づけられた情報は、それぞれのページ毎に入力される情報である。
【００２７】
また、本発明の情報処理方法は、請求項１９に記載されるように、入力情報を収集して表示するとともにその収集した情報を記憶する情報処理方法において、同一表示面上に表示すべき情報として任意に入力されるそれぞれの情報を、それぞれ関連づけられた情報としてデータ記憶手段の指定されたアドレスに書き込んだのち、このデータ記憶手段内の関連づけられた複数種類の情報を、画面上に開かれた表示面の表示情報として表示用記憶手段に書き込み、この表示用記憶手段への書き込みを行う際、前記データ記憶手段内の関連づけられた情報に対して表示用記憶手段への書き込み順序を設定し、その順序に従って、前記関連づけられた情報を表示用記憶手段に順次書き込んで表示し、さらに、取り込んだ情報の消去を行う消去手段を設け、情報の消去を行う際は、この消去手段を操作することにより、同一表示面に表示すべき情報として入力された任意の情報を消去する処理を行うことを特徴としている。
【００２８】
そして、前記消去手段を２つ設け、いずれか一方を操作したときは、同一表示面に表示すべき情報として入力された情報のうち、指示された部分の情報のみを消去し、両方を操作したときは、同一表示面に表示すべき情報として入力された情報すべてを消去するようにしている。
【００２９】
以上のような手段を用いることにより、画像情報、インク情報、音声情報などの複数のマルチメディア情報を、１つのページの情報として取り込む際、その都度、取り込む情報に応じたモードを設定する必要がなく、ユーザの思うまま自由にどの情報も入力することができるとともに、入力したそれぞれの情報を当該ページの情報として表示することができる。
【００３０】
また、或るページデータとして表示されているデータを消去する際、任意の部分のみを消去したり、あるいは、そのページ全体を消去したりすることが簡単な操作で行える。特に、部分的に消去する場合は、その部分をペンでタッチしたり、ペンを動かしたりすることにより、消去するようにしたので、鉛筆書きのメモを消しゴムで消す感覚での消去が可能となるため、電子メモ帳としての使い勝手をより一層向上させることができる。
【００３１】
【発明の実施の形態】
以下、本発明の実施の形態について説明する。なお、この実施の形態では、本発明を携帯用情報収集機器の１つである電子メモ帳に適用した例について説明する。
【００３２】
図１は本発明が適用された電子メモ帳の全体的な構成を説明するブロック図である。
【００３３】
この電子手帳は、ＣＰＵ２１、電子メモ帳の基本的な処理プログラムおよび本発明の情報収集処理プログラム（このプログラムに基づいた処理手順については後に詳細に説明する）、さらには、処理に必要なデータなどが格納されたＲＯＭ２２、画像情報を取り込むためのＣＣＤカメラ２３、このＣＣＤカメラ２３を駆動するとともにＣＣＤカメラからの信号をディジタル信号に変換するＣＣＤコントローラ２４、音声情報を取り込むためのマイクロホン２５、このマイクロホン２５からの音声信号を増幅するアンプ２６、音声信号をディジタル信号に変換するＡ／Ｄ変換器２７、文字や線画などの情報を取り込むとともに、取り込まれた情報を表示する入力表示一体型のタブレット（ディジタイザ２８１と液晶表示部２８２が一体となっている）２８、液晶表示部（ＬＣＤ）コントローラ２９、音声信号を出力する際に音声信号をアナログ信号に変換するＤ／Ａ変換部３０、アンプ３１、スピーカ３２、ユーザが取り込んだデータを蓄えるデータ記憶手段としてのフラッシュメモリ（このフラッシュメモリに蓄えられるデータおよびその格納領域などについては後に詳細に説明する）３３、電子メモ帳としての種々の処理を行う際にワークメモリとして用いられるＲＡＭ３４、現在の時刻を計時して時刻情報とともに日付情報を出力するリアルタイムクロック３５、電源スイッチ３６、ページ送りボタン（次ページボタン３７、前ページボタン３８）、カメラボタン３９、音声入力ボタン４０、書き込まれたデータを消去する消去ボタン（この消去ボタンは２つの消去ボタン４４ａ，４４ｂからなり、その機能などについては後述する）などのボタンのオン・オフを検知してオン・オフに対応する信号を出力するボタン信号処理部４１、パソコンなど他の情報処理機器との間で情報の授受を行うための外部機器接続部４２、各部を接続するシステムバス４３、ＬＣＤ２８２上に表示すべき内容が書き込まれる表示用メモリ（ＶＲＡＭ）５０などから構成されている。
【００３４】
なお、前記外部機器接続部４２は、シリアルコントローラ４２１、パソコンなどの情報処理機器に接続するためのインタフェースとして用いられるＲＳ２３２Ｃポート４３２、パソコンなどの情報処理機器との間で光通信を行うための赤外線レシーバトランスミッタ４２３、発行ダイオード（ＬＥＤ）４２４、フォトダイオード４２５などで構成される。
【００３５】
図２は本発明の電子メモ帳の外観構成を示す図であり、図１に対応する構成部分には図１と同一符号が付されている。図１で示された構成要素のうち、外観構成に現れるものとしては、ＣＣＤカメラ２３（実際にはＣＣＤカメラ２３のレンズ２３ａ）、カメラボタン３９、タブレット２８、マイクロホン２５、スピーカ３２、音声入力ボタン４０、次ページボタン３７、前ページボタン３８、電源スイッチ３６、消去ボタン４４ａ，４４ｂである。また、５１はタブレット２８の画面上に文字や線画を描いたり、アイコンをポインティングしたりする入力ペンである。なお、消去ボタン４４ａ、４４ｂは、図示のように、機器の左右両端付近に１つずつ配置される。
【００３６】
以上のような構成において、タブレット２８の画面上に入力ペン５１で文字や線画が描かれると、内部にあるＣＰＵ２１がディジタイザ２８１からの座標を読みとって、タブレット２８の画面上（ＬＣＤ２８２）の対応する位置に筆跡を表示するとともに、座標データをフラッシュメモリ３３の所定のアドレスに蓄える。
【００３７】
また、ＣＣＤカメラ２３により画像を入力する場合は、取り込もうとする画像に対してＣＣＤカメラ２３のレンズ２３ａを向け、カメラボタン３９を、まず半押し状態にすると、レンズ２３ａを通して入力された画像がタブレット２８の画面上に動画として映し出され、さらにカメラボタン３９を押し込むと画像がロックし、そのロックした画像が取り込まれる。この画像信号はＣＣＤカメラコントローラ２４にてディジタル信号に変換されたのち、フラッシュメモリ３３の所定のアドレスに蓄えられる。
【００３８】
また、音声を入力する場合は、音声入力ボタン４０を押すことにより、取り込むべき音声がマイクロホン２５から入力され、アンプ２６６で増幅され、Ａ／Ｄ変換器２７でディジタル信号に変換されたのち、フラッシュメモリ３３の所定のアドレスに蓄えられるようになっている。なお、音声とは一般的に人間の発する声を意味しているが、本発明は、人間の声だけではなく、音楽や自然界の音など、全ての音を収集対象としているが、この実施の形態では、音声を例にして説明している。
【００３９】
また、前記取り込まれたそれぞれの情報は、実際には、データ圧縮された後にフラッシュメモリ３３に蓄えられる。たとえば、前記座標データはＲＡＭ３４に転送され、ＣＰＵ２１によって入力順にデータ圧縮を行い、圧縮後の座標データをフラッシュメモリ３３に蓄える。そして、そのフラッシュメモリ３３に蓄えられたデータを表示するときは、ＲＡＭ３４に転送して、ＣＰＵ２１により、データ伸張したのちＬＣＤ２８２に表示する。画像データや音声データも同様に圧縮してフラッシュメモリ３３に蓄え、そのフラッシュメモリ３３に蓄えられたデータを表示するときは、伸張したのちＬＣＤ２８２に表示（音声の場合は、スピーカから再生）する。
【００４０】
以上のような情報の取り込みは１つの画面（１つのページ）単位で行われる。以下、その処理手順を説明する。
【００４１】
この電子メモ帳が全くの未使用な状態であれば、電源スイッチ３６をオンとすると、タブレット２８の画面（ＬＣＤ２８２）には何も表示されていないな状態となる（これを１ページ目とする）。ここでは、１ページ目が既に何かの情報が取り込まれていて、２ページ以降に新たな情報を取り込む例について説明する。この電子メモ帳を所有するユーザが、或る初対面の人物と仕事上の打ち合わせをしているとき、その人物に関する情報や打ち合わせ内容、さらには取引対象の製品などについての情報を電子メモ帳に取り込む例について説明する。
【００４２】
まず、ユーザが電源スイッチ３６をオンすると、既に情報が取り込まれている１ページ目が表示され、次ページボタン３７を押すと、まだ情報が取り込まれていない２ページ目の画面が現れる。その状態で、ユーザが相手の顔画像の取り込みを行うために、ＣＣＤカメラ２３のレンズ２３ａを、撮影しようとする相手に向けて、カメラボタン３９を前記したように、まず最初に半押し状態とし、さらにカメラボタン３９を押し込むと、その時点の顔画像（静止画）が取り込まれ、その顔画像が図３（ａ）に示すようにタブレット２８の画面上に表示されるとともに、その画像データはフラッシュメモリ３３の所定のアドレスに記憶される。この画像の表示エリアはタブレット２８の画面上における表示エリア内のどの部分にどの程度の大きさとするかは予め設定しておいてもよく、その都度、状況に応じて設定できるようにしてもよい。
【００４３】
この図３においては、表示画面の左上の１／４程度のエリアを画像エリアとして用いた例が示されている。
【００４４】
そして、打ち合わせの相手に関する情報として、電子メモ帳を所有するユーザは、相手の氏名、会社名や所属部課名などのメモ情報を入力ペン５１により文字や線画などで思いつくまま書き込む。この入力ペン５１による文字や線画などのインク情報は、ユーザの描く通りのままタブレット２８の画面上に表示されるとともに、フラッシュメモリ３３の所定のアドレスに記憶される。
【００４５】
また、たとえば、打ち合わせの重要な部分についてを音声として録音する場合は、音声入力ボタン４０を押せば、そのときの音声が取り込まれて、ディジタル変換された後、音声信号としてフラッシュメモリ３３の所定のアドレスに記憶される。なお、この音声の取り込みが終了すると、録音されたことを示すアイコン５２がタブレット２８の画面上所定位置に表示される。なお、このアイコン５２は、機能読み出しとしても用いられる。つまり、後になって、このページのデータを読み出したとき、アイコン５２を入力ペン５１でポインティングすることにより、フラッシュメモリ３３の所定アドレスから音声情報が読み出されて再生される。
【００４６】
図３（ａ）は以上のような処理を行うことにより取り込まれた情報がタブレット２８の画面上に表示された例を示すものである（２ページ目の情報）。この図３（ａ）からもわかるように、顔画像情報６１、文字や線画などのインク情報６２、さらには、取り込まれた情報の中に音声情報が存在することを示すアイコン５２が１つのページ単位のページ情報として視覚的な情報として表示される。なお、前記したように、アイコン５２を入力ペン５１でポインティングすることにより、その音声情報が所定のアドレスから読み出されてスピーカ３２から出力される。
【００４７】
また、これらの情報のほか、リアルタイムクロック３５からその時点の日付を示す情報が自動的に表示されるとともに、その日付や時刻情報はページ付加情報の１つとして前記フラッシュメモリ３３の所定アドレスに書き込まれる。そして、この日付や時刻情報は、後に、このページデータを読み出したとき、情報入力を行った際の日付と時刻が表示される。
【００４８】
このようにして、現在、情報の取り込みを行っていたページ（２ページ目）の情報収集が終了し、異なった情報を他のページ（３ページ目）に取り込もうとする場合は、次ページボタン３７を押して、次のページ（３ページ目）を新たなページとして、この３ページ目に新たな情報を取り込む。
【００４９】
なお、以上の説明において、フラッシュメモリ３３に書き込まれたそれぞれのデータの書き込み領域などについては後に説明する。
【００５０】
図３（ｂ）は、３ページ目に書き込まれた情報例を示すもので、ここでは、画像情報として製品の画像６３、インク情報６４として、その製品名や特徴（たとえば、価格や概略的な性能）などがメモとして書き込まれ、さらに、説明をつけ加えるための音声情報（たとえば、「この製品は、何月何日発売予定ということです」などの情報）が入力されている例が示されている。なお、この場合も音声情報が取り込まれるとアイコン５２が表示される。
【００５１】
このようにして、取り込もうとする情報毎に、ページを変えて、ページ単位で情報の取り込みを行うことができる。
【００５２】
図４は、前記したような情報の取り込み処理を行った場合のフラッシュメモリ３３の内容の一例を示すもので、この図４では、現在、データの取り込みを行っているページ（３ページ目とする）と、前ページ（２ページ目とする）と、さらにその前のページ（１ページ目）のメモリ内容が示されている。以下、図４について説明する。
【００５３】
図４において、アドレスＡ０，Ａ１，Ａ２，・・・には、情報が取り込まれた各ページごとに、そのページの情報が格納されているアドレスが書き込まれている。
【００５４】
ここでは、説明を分かり易くするため、最初にデータの取り込みを行ったページを１ページ、その次にデータの取り込みを行ったページを２ページ、現在、データの取り込みを行っているページを３ページとし、この３ページ以降にはまだデータが取り込まれていない状態であるとする。
【００５５】
図４において、Ａ０，Ａ１，Ａ２，・・・は、情報が取り込まれた各ページごとのアドレスを指示するページアドレス領域であり、アドレスＡ０には１ページ目の情報が格納されたアドレスとしてアドレスＢ０が書き込まれており、アドレスＡ１には２ページ目の情報が格納されたアドレスとしてアドレスＢ１が書き込まれており、アドレスＡ２には３ページ目の情報が格納されたアドレスとしてアドレスＢ２が書き込まれており、アドレスＡ３には最後のページの情報が格納されたアドレス（この場合、最後のページ情報は３ページ目のページ情報であるため、Ｂ２のアドレス）が書き込まれている。
【００５６】
また、アドレスＢ０，Ｂ１，Ｂ２，・・・は、それぞれのページに関する情報が格納された領域を指示するためのアドレスが書き込まれるページ内容指示アドレス領域であり、１ページ目の情報が格納されたアドレスＢ０には、次のページ（この場合、２ページ目）の情報が格納されたアドレスとしてＢ１が書き込まれ、前のページの情報が格納されたアドレスとして「ＮＵＬＬ」（この「ＮＵＬＬ」は「無い」ことを示しており、この１ページ目が最初のページであることを示している）が書き込まれ、さらに、この１ページ目に取り込まれた情報が格納されているアドレスとしてＣ０，Ｃ１，Ｃ２と、１ページ目のページ付加情報が格納されているアドレスＣ３が書き込まれている。
【００５７】
また、前記２ページ目の情報が格納されたアドレスＢ１には、次のページ（この場合、３ページ目）の情報が格納されたアドレスとしてＢ２が書き込まれ、前のページ（この場合、１ページ目）の情報が格納されたアドレスとしてアドレスＢ０が書き込まれ、さらに、この２ページ目に取り込まれた情報が格納されているアドレスとしてＤ０，Ｄ１，Ｄ２と、２ページ目のページ付加情報が格納されているアドレスＤ３が書き込まれている。
【００５８】
さらに、３ページ目（現在、データを取り込んでいるページ）の情報が格納されたアドレスＢ２には、次のページの情報が格納されたアドレスとして「ＮＵＬＬ」（この３ページ目が最後のページであることを示している）、前のページ（この場合、２ページ目）の情報が格納されたアドレスとしてＢ１が書き込まれ、さらに、この３ページめに取り込まれた情報が格納されているアドレスとしてＥ０，Ｅ１，Ｅ２と、３ページ目のページ付加情報が格納されているアドレスＥ３が書き込まれている。
【００５９】
そして、前記アドレスＣ０には１ページ目の画像データ、アドレスＣ１には１ページ目のインクデータ、アドレスＣ２には１ページ目の音声データが格納されている。また、前記アドレスＤ０には２ページ目の画像データ、アドレスＤ１には２ページ目のインクデータ、アドレスＤ２には２ページ目の音声データが格納されている。また、前記アドレスＥ０には３ページ目の画像データ、アドレスＥ１には３ページ目のインクデータ、アドレスＥ２には３ページ目の音声データが格納されている。さらに、以上の入力情報のほかに、それぞれのページの付加データ（ここでは、前記したように日付や時刻データ）が、１ページ目はアドレスＣ３に、２ページ目はアドレスＤ３に、３ページ目はアドレスＥ３にそれぞれ格納されている。
【００６０】
なお、この図４に示した例では、フラッシュメモリに書き込まれる様々な情報（画像データ、音声データ、インクデータなど）が、各ページ単位にまとまって、順序よく書き込まれた例が示されているが、これらの情報が書き込まれる場所は、そのページに対する入力データの書き込み位置を示すアドレス（Ｃ０，Ｃ１，・・・、Ｄ０，Ｄ１，・・・、Ｅ０，Ｅ１，・・・）で指定される場所であり、必ずしも、ページ単位で連続したアドレスに書き込まれるとは限らない。たとえば、１ページ目の画像データがアドレスＣ０を指定され、１ページ目の音声データがアドレスＤ２を指定され、１ページ目の音声データがアドレスＥ１を指定され、２ページ目の画像データがアドレスＣ１を指定され、２ページ目の音声データがアドレスＥ０を指定され、２ページ目の音声データがアドレスＣ２を指定されるというように、指定されたアドレスに書き込まれる。
【００６１】
ところで、アドレスＢ０，Ｂ１，Ｂ２に書き込まれたそれぞれのページのアドレスを示す情報は、双方向のリスト構造となっており、関連するページ（この場合は前後のページ）の先頭アドレスを互いに指定できるようになっている。
【００６２】
たとえば、アドレスＢ１（２ページ目）に書き込まれた次ページを示すアドレスはＢ２であり、このＢ２は３ページ目の情報が格納された領域の先頭アドレスを示している。また、アドレスＢ１（２ページ目）に書き込まれた前ページを示すアドレスはＢ０であり、このＢ０は１ページ目の情報が格納された領域の先頭アドレスを示している。
【００６３】
同様に、アドレスＢ２（３ページ目）に書き込まれた前ページを示すアドレスはＢ１であり、このＢ１は２ページ目の情報が格納された領域の先頭アドレスであるというように、前後のページの先頭アドレスを互いに指定できるようになっている。
【００６４】
このようなリスト構造は、たとえば、２ページ目を削除した場合は、１ページ目は次のページとして３ページ目の先頭アドレスを、３ページ目は前のページとして１ページ目の先頭アドレス指定するというように、ページ削除・挿入に容易に対応できるので、データの削除、挿入を行う場合に好都合である。
【００６５】
このようにして、各ページごとに取り込まれたデータはフラッシュメモリ３３に書き込まれる。
【００６６】
なお、前記２ページ目の画像およびインク情報の具体例としては図３（ａ）に示され、３ページ目の画像およびインク情報の具体例としては図３（ｂ）に示されている。また、音声データとしては、たとえば、そのとき取り込んだ画像データなどに対する補足的な説明など音声として入力したものであり、音声入力が存在していることを示すアイコン５２がそれぞれ表示される。
【００６７】
以上のように、本発明では、ページ単位で様々な情報を取り込むことができる。そして、それぞれのページおける情報の取り込みは、画像、インク、音声の各情報をメニュー選択なしに、つまり、モードの切替なしにユーザの思うまま自由に取り込んで、取り込んだ情報を表示することができる。すなわち、画像の取り込みが終了したら、そのまま、入力ペン５１で文字や線画の入力を行い、さらに音声の入力というように、それぞれの情報を思いつくまま自由に取り込むことができる。なお、このように取り込む情報の種類が幾つかある場合、取り込む情報の順番は任意であり、また、すべての種類を取り込む必要はなく、たとえば、画像情報とインク情報、音声情報とインク情報、さらには、インク情報のみ画像情報のみというように、その場に応じて必要な情報を取り込めばよい。
【００６８】
ちなみに、従来では、画像を取り込むときは、まず、モードを画像入力モードとして画像の取り込みを行い、入力ペンによる入力の場合は、モードを入力ペンモードとして、入力ペンによる入力を行うというように、モード設定行った後、それに対する情報の取り込みを行うという操作を行わなければならなかった。
【００６９】
このように、本発明は、画像、インク、音声の各情報を、メニュー選択なしに、つまり、モードの切替なしにユーザの思うまま自由にそれぞれのページ単位で取り込んで、取り込んだ情報を表示することができるものであり、この点が本発明の要旨となるところである。これを実現するために本発明は、或る１つのページにデータとして取り込まれる画像、インク、音声などの各情報を、そのページに関連付けられたデータとして扱うとともに、さらに、以下のような処理を行う。
【００７０】
図５はフラッシュメモリ３３に蓄えられている或るページに関連づけられたデータを表示用メモリ（ＶＲＡＭ）５０に書き込む様子を示したものである。図５において、或るページに取り込まれた画像データ、音声データ、インクデータ、さらに、その付加情報などが１つのページ関連づけられたデータとして、フラッシュメモリ３３の所定のアドレスに書き込まれている。
【００７１】
つまり、ユーザがたとえば、最初に画像を取り込み、次にその取り込んだ画像に対するメモを入力し、さらに、音声を取り込んだとすると、画像データ、インクデータ、音声データ、および、日付などの付加情報は前記したように、フラッシュメモリ３３の当該ページに割り当てられた所定のアドレスに書き込まれる。そして、その書き込まれた内容が読み出されて、ＲＡＭ３４に転送されて、ＣＰＵ２１により所定のデータ加工が施された後、表示用メモリ５０の所定のアドレスに書き込まれることでタブレット２８の画面上に表示される。
【００７２】
この表示用メモリ５０への書き込みを行う際、図５に示すように、レイヤ構造とし、まず、画像データを表示用メモリ５０の所定のアドレスに書き込み、次に、インクデータを表示用メモリ５０の所定のアドレスに書き込み、続いて、音声データ（ここでは音声データが入っていることを示すアイコンデータ）を表示用メモリ５０の所定アドレスに書き込み、さらに、付加情報を表示用メモリ５０の所定のアドレスに書き込むというように、予め定めた順序に従って、情報の種類毎に重ね書きして行く。
【００７３】
図６はすでにインクデータ７１が書き込まれたページに、画像を取り込む場合の例を説明する図であり、図６（ａ）は、すでに取り込まれたインク情報７１がタブレット２８の画面上に表示された様子を示すものである。そして、このページに画像を取り込む場合は、ＣＣＤカメラ２３のレンズ２３ａを、撮影対象に向けて、カメラボタン３９を、最初は半押し状態とし、その後でカメラボタン３９を押し込むが、半押し状態としたときは、ＣＰＵ２１がＣＣＤコントローラ２４を制御して、ＣＣＤカメラ２３から画像を取り込み、ＲＡＭ３４に画像データを一時的に蓄え、ＣＰＵ２１により画像の色変換を行ったのちＬＣＤコントローラ２９を駆動して色変換された画像をタブレット２８の画面上にモニタ表示する。そして、そのモニタ表示を見ながらカメラボタン３９を押し込むと、そのときの画像データはＲＡＭ３４に一旦、転送されたのち、フラッシュメモリ３３の当該ページに関連づけられたアドレスに書き込まれる。そして、フラッシュメモリ３３から書き込まれたデータが読み出されて表示用メモリ５０に書き込まれることでタブレット２８の画面上に表示される。
【００７４】
このとき、タブレット２８の画面上における画像の表示位置と、すでに書かれているインク情報７１の位置関係から見ると、画像はインクデータの上に表示されるような位置関係であるが、表示用メモリ５０に書き込まれる順序が、この場合は、まず、画像データがフラッシュメモリ３３から読み出されて表示用メモリ３３に書き込まれ、その後で、インクデータがフラッシュメモリ３３から読み出されて、表示用メモリ５０に書き込まれるというような順序が設定されているので、画像を取り込んだ後の画面上の表示は図６（ｂ）に示すように、インク情報７１が画像７２に上書きされた状態となる。つまり、この場合のインク情報は、すでに表示されているインク情報７１に対して、再表示されたことになる。
【００７５】
なお、このインク情報のように、表示用メモリ５０にすでに書き込まれているデータに対して、フラッシュメモリ３３からそのデータを読み出して表示用メモリ５０に再び書き込む（更新する）ことで、表示し直すことを再表示と呼ぶことにする。
【００７６】
また、図６の場合とは逆に、初期状態として、既に画像データが表示されているページに、その画像の上からインク情報を書き込むような場合も、まず、画像データがフラッシュメモリ３３から読み出されて、表示メモリ５０に書き込まれ、次にインクデータがフラッシュメモリ３３から読み出されて、表示メモリ５０に書き込まれるというような順序で表示用メモリ５０に書き込まれるので、再表示後の画面はインク情報が画像の上に上書きされた状態となる。また、このとき、アイコンや付加情報がそのページに存在する場合は、表示用メモリ５０に書き込まれる順序は、画像データ、インクデータ、アイコン、付加情報であるので、アイコンや付加情報の張り付け位置にインク情報が存在した場合は、再表示後の画面はインク情報に対してアイコンや付加情報が上書きされた状態で表示される。すなわち、当該ページの画面上に、すでにアイコンや付加情報が表示されていて、アイコンや付加情報の上からインク情報を書き込んだ場合は、インク情報の入力中にアイコンや付加情報の上をペンを移動させても、ペンアップしたあとは、前記したレイヤ順序で再表示されるため、再表示後の画面はインク情報に対してアイコンや付加情報が上書きされた状態で表示される。
【００７７】
なお、前記レイヤ順序は前記した例に限られるものではなく、たとえば、インクデータを１番とすることも可能である。また、再表示は、前データを行わなくとも、新たに取り込み中のデータより書き込み順序が下位に設定されたデータのみを再表示するようにしてもよい。たとえば、画像データ、アイコン、付加情報が存在していて、その後に、インクデータを書き込んだ場合は、アイコンや付加情報のみを再表示するようにしてもよい。
【００７８】
図７は以上説明した再表示の処理の流れを説明するフローチャートである。同図において、まず、そのページの画面全体を白くして（ステップｓ００）、処理対象ページのページ番号を得る（ステップｓ０１）。そして、そのページ（現ページという）に画像データがあるか否かを判断し（ステップｓ０２）、画像データがなければ、インクデータがあるか否かの判断に移るが、ステップｓ０２において、画像データが存在すれば、現ページに関連づけられた画像データをフラッシュメモリ３３から読み出して、ＲＡＭ３４に転送し、ＣＰＵ２１によって画像サイズの変更などを行ったのち、表示用メモリ５０の所定アドレスに書き込むことでタブレット２８の画面上に表示を行う（ステップｓ０３）。
【００７９】
次に、インクデータがあるか否かの判断を行い（ステップｓ０４）、インクデータがなければ、音声データがあるか否かの判断に移るが、ステップｓ０４において、インクデータが存在すれば、現ページに関連づけられたインクデータをフラッシュメモリ３３から読み出して、ＲＡＭ３４に転送し、ＣＰＵ２１によってベクトルデータをビットマップデータに変更するなどの処理を行ったのち、表示用メモリ５０の所定アドレスに書き込むことでタブレット２８の画面上に表示を行う（ステップｓ０５）。
【００８０】
次に、音声データがあるか否かの判断を行い（ステップｓ０６）、音声データがなければ、付加情報があるか否かの判断に移るが、ステップｓ０６において、音声データが存在すれば、現ページに関連づけられた音声データをフラッシュメモリ３３から読み出して、ＲＡＭ３４に転送したのち、表示用メモリ５０の所定アドレスにアイコンデータを書き込むことで、音声データが存在することを示すアイコンをタブレット２８の画面上に表示を行う（ステップｓ０７）。
【００８１】
最後に、付加情報があるか否かの判断を行い（ステップｓ０８）、付加情報がなければ、処理を終了し、付加情報が存在すれば、当該ページに関連づけられた付加情報をフラッシュメモリ３３から読み出して、ＲＡＭ３４に転送したのち、表示用メモリ５０の所定アドレスに付加情報を書き込むことで、タブレット２８の画面上に表示を行う（ステップｓ０９）。
【００８２】
図８〜図１１は、以上説明した本発明の電子メモ帳の全体的な情報収集処理手順を示したフローチャートであり、以下、この処理手順を説明する。
【００８３】
まず、図８において、Ｒ１で示す処理ループは電源スイッチ３６がオンとなっている場合の処理ループであり、各種のボタン（次ページボタン３７、前ページボタン３８、カメラボタン３９、録音ボタン４０、消去ボタン４４ａ、４４ｂなど）が押されているか（オンしているか）否かを判断（ステップｓ１）し、押されていなければ、タブレットタッチが有るか否かを判断（ステップｓ２）し、タブレットタッチがなければ電源スイッチ３６がオフしたか否かを判断（ステップｓ３）して、オフしていなければ、ステップｓ１に戻るというループを繰り返す。つまり、電源スイッチ３６がオンしている間、ステップｓ１、ステップｓ２を繰り返し行う。
【００８４】
そして、前記ステップｓ１にてボタン入力有りと判定された場合は、そのボタンが、次ページボタン３７、前ページボタン３８、カメラボタン３９、音声入力ボタン４０、消去ボタン４４ａ，４４ｂのうちどのボタンであるかを判断する（ステップｓ１１〜ｓ１５）。
【００８５】
このとき、押されたボタンが次ページボタン３７であった場合は、図９（ａ）の処理手順に示すように、現在表示されているページに対して次ページのアドレスをフラッシュメモリ３３から読み出して（ステップｓ１１１）、ユーザによって取り込まれた情報（画像、インク、音声など）を所定のアドレスから読み出す（ステップｓ１１２）とともに、その読み出した内容を、タブレット２８の画面上に表示する（ステップｓ１１３）。具体的には、図４を例にすると、現在表示されているページが２ページ目であって、次ページが３ページ目であるとすれば、現在表示されている２ページ目の情報の中から３ページ目の先頭アドレス（アドレスＢ２）を読み出し、次に、このアドレスＢ２に書き込まれているアドレスＥ０，Ｅ１，Ｅ２から、それぞれの情報を読み出して（付加情報がある場合はＥ３からも読み出す）、たとえば、図３（ｂ）の如く、タブレット２８の画面上に表示する。なお、現在表示されているページが３ページ目であって、次ページが４ページ目である場合、この４ページ目には情報が何も記録されていないときは、情報の無い４ページ目の画面が現れる。このようにして、次ページボタン３７が押されると、対応するページの情報が読み出されてタブレット２８の画面上に表示される。そして、図８のステップｓ１に戻り、次の操作を待つ。
【００８６】
また、押されたボタンが前ページボタン３８であった場合は、図９（ｂ）の処理手順に示すように、前ページのアドレスを読み出し（ステップｓ１２１）、ユーザによって取り込まれた情報（画像、インク、音声など）をフラッシュメモリ３３の所定のアドレスから読み出す（ステップｓ１２２）とともに、当該ページに取り込まれている内容を、タブレット２８に表示する（ステップｓ１２３）。具体的には、図４を例にすると、現在表示されているページが３ページ目であって、前ページが２ページ目であるとすれば、現在表示されている３ページ目の情報の中から２ページ目の先頭アドレス（アドレスＢ１）を読み出し、次に、このアドレスＢ１に書き込まれている情報格納アドレスＤ０，Ｄ１，Ｄ２からそれぞれの情報を読み出して（付加情報がある場合はＤ３からも読み出す）、たとえば、図３（ａ）の如く、タブレット２８の画面上に表示する。このようにして、前ページボタン３８が押されると、対応するページの情報が読み出されてタブレット２８の画面上に表示される。そして、図８のステップｓ１に戻って次の操作を待つ。
【００８７】
また、押されたボタンがカメラボタン３９であった場合、まず、カメラボタン３９の押し方が半押し状態であった場合は、図１０（ａ）の処理手順に示されるように、ＣＣＤカメラ２３に入力された画像はタブレット２８の画面上に動画の状態で映し出される（ステップｓ１３１）。次に、カメラボタン３９が最後まで押し込まれたか否かの判断（ステップｓ１３２）において、押し込まれた状態であると判断された場合は、その時点における画像を取り込み（ステップｓ１３３）、その静止画像がタブレット２８の画面上に表示される（ステップｓ１３４）。なお、取り込まれた画像データは、フラッシュメモリ３３内の該当するページの所定アドレスに格納される。そして、図８のステップｓ１に戻って次の操作を待つ。  一方、前記ステップｓ１３２において、カメラボタン３９が最後まで押し込まれていない場合は、半押し状態であるか否かを判断し（ステップｓ１３５）、半押し状態でない場合は、カメラボタン３９はオフとして画像表示を行わない（ステップｓ１３６）。その後、図８のステップｓ１に戻って次の操作を待つ。なお、前記ステップｓ１３５において、カメラボタン３９が半押し状態である場合は、ステップ１３２に処理が戻る。
【００８８】
また、前記押されたボタンが音声入力ボタン４０であった場合は、図１０（ｂ）の処理手順に示されるように、音声入力ボタン４０が押されると同時に録音を開始し（ステップｓ１４１）、音声入力ボタン４０のオンが解除されたか否かを判断し（ステップｓ１４２）、オンの状態であればそのまま録音を続行し、オフとなれば、その時点で録音を終了する（ステップｓ１４３）。そして、情報の１つとして音声が取り込まれていることを示すアイコ５２をタブレット２８の画面上に表示する（ステップｓ１４４）。なお、取り込まれた音声データは、フラッシュメモリ３３内の該当するページの所定アドレスに格納される。その後、図８のステップｓ１に戻って次の操作を待つ。
【００８９】
また、押されたボタンが消去ボタンであった場合は、図１１の処理に入る。図１１において、まず、２つの消去ボタン４４ａ，４４ｂが両方とも押されたかを判断し（ステップｓ１５１）、片方のボタンのみが押された場合は、タブレット入力有りかを判断し（ステップｓ１５２）、タブレット入力がなければ、図８のステップ１に戻り、タブレット入力有りの場合は、ペンが動いているか否かを判断し（ステップｓ１５３）、動いている場合は、ペンが移動した部分のインクデータを削除する（ステップｓ１５４）。インクデータの削除はペンが移動している間続けられ、ペンがアップすると（ステップｓ１５５）、当該ページに関する全てのデータが削除されたか否かを判断し（ステップｓ１５６）、全てのデータ削除でなければ、削除された以外のデータを再表示する（ステップｓ１５７）。ステップｓ１５６において、全てのデータの削除であれば、現ページを削除して、次ページを現ページとしたのち（ステップｓ１５８）、新たに現ページとなった内容を再表示して図８のステップｓ１に戻る。
【００９０】
一方、前記ステップｓ１５３において、ペンが動いていない場合は、ペンアップか否かを判断し（ステップｓ１５９）、ペンアップでない場合は、ペンがアイコン上をポインティングしたか否かを判断し（ステップｓ１６０）、アイコン上のポインティングであれば、そのポインティングされたアイコンを削除し（ステップｓ１６１）、そのあと、前記ステップｓ１５６に進む。
【００９１】
また、前記ステップｓ１６０において、アイコン上のポインティングでなければ、画像上のポインティングであるか否かを判断し（ステップｓ１６２）、画像のポインティングでない場合は図８のステップｓ１に戻り、画像上のポインティングである場合は、ポインティングされた画像を削除（ステップｓ１６３）したのち、前記ステップｓ１５６に進む。
【００９２】
以上の処理は、前記ステップ１５１において、片方のみの消去ボタンが押された場合の処理であるが、両方の消去ボタン４４ａ，４４ｂが押された場合には、ステップｓ１６４以降の処理を行う。すなわち、両方の消去ボタン４４ａ，４４ｂが押されていた状態が解除されると（ステップｓ１６４）、現在表示されているページを削除し、次ページを現ページとし（ステップｓ１６５）たのち、新たに現ページとなった内容を再表示する（ステップｓ１６６）。
【００９３】
以上のように、ページデータを部分消去する場合は、片方の消去ボタンを押しながら、消去したい部分をペンでポインティングあるいはペンを動かすことにより、ポインティングされた部分、あるいはペンが動かされた部分のデータが削除される。そして、両方の消去ボタンが押された場合は、その押された状態を解除すると同時に、そのページが削除される。なお、データを部分的に消去する際、消去したいデータをペンをポインティングしたり動かしたりして消去するが、そのとき、右利き、左利きのいずれの人にも便利なように、消去ボタン４４ａ，４４ｂを機器の左右両端付近に配置し、いずれかの消去ボタンを押しながら、ペン操作を行えるようにしている。
【００９４】
ところで、図８における処理ループＲ１において、タブレットタッチであると判定された場合（ステップｓ２）は、入力ペン５１の操作がポインティング操作か否かの判定を行い（ステップｓ２１）、ポインティング操作の場合は、表示されているアイコン５２をポインティングしたか否かを判断し（ステップｓ２２）、アイコン上のポインティングである場合は、そのアイコンに対応する機能の呼び出しを行う（ステップｓ２４）。一方、ステップｓ２１においてポインティングでない場合は、入力ペン５１の操作が移動か否かを判断し（ステップｓ２３）移動である場合は、文字や線画の入力操作であるとして、図１２の処理手順に示すように、座標の読み込みを行ったのち、その座標値をフラッシュメモリ３３内の該当するページの所定のアドレスに書き込み（ステップｓ２３１，ステップｓ２３２）、描かれた文字や線画をタブレット２８の画面上に表示する（ステップｓ２３３）。この処理は入力ペン５１がペンアップの状態となるまで続けられ、入力ペン５１がタブレット２８の画面上から離れると（ステップｓ２３４）、図８のステップｓ１に戻って次の操作を待つ。なお、前記ステップｓ２２において、アイコン上のポインティングでない場合も、図１２のステップｓ２３１に進む。
【００９５】
そして、これら各ページ単位の情報を読み出す場合は、従来の電子手帳と同様、電源スイッチ３６をオンすると、一番最後に情報の取り込みを行ったページの情報が表示され、そのページ以外の情報を読み出したいときは、ページ送りボタン（次ページボタン３７または前ページボタン３８）を操作することにより、表示内容がページ単位で順次、切り替わって読み出されて行く。なお、この情報の読み出しは、所望とするページがでてくるまでページ送りを行う方法以外にも、たとえば、ページ指定ボタンを設けて所望とするページの読み出しを行う方法、ページ毎のキーワードをもとに所望の情報を読み出す方法など種々考えられる。なお、以上説明した本発明の処理を行う処理プログラムは、フロッピィディスク、光ディスク、ハードディスクなどの記憶媒体に記憶させておくことができ、本発明はその記憶媒体をも含むものである。また、ネットワークから処理プログラムを得るようにしてもよい。
【００９６】
このように、本発明が適用された電子メモ帳は、人の打ち合わせなどに用いる以外に、たとえば、旅行などにおいて、山の景色などを入力して、その山の高さや名前などの情報を入力ペンで自由にメモ書きしたり、周囲の景色などについての感想などを言葉で入力したりするというように、その使用範囲はきわめて広い。しかも、画像情報、音声情報、ペン入力情報など複数の種類の情報を、モードの設定なしで思いつくまま自由に、しかも、ユーザが意識することなく１つのページ毎のまとまったデータとして取り込むことができるので、メモ帳としてきわめて使い勝手のよいものとなり、広い分野で様々に利用することができる。
【００９７】
また、以上説明した実施の形態では、取り込むことのできる情報としては、画像情報、ペン入力情報、音声情報であり、さらに、付加情報として、日付や時刻情報であったが、この付加情報は日付、時刻だけでなく、たとえば、温度や気圧などの気象情報などを取り込むようにすることも可能であり、また、音の情報としては人間の発する音声だけではなく、音楽や自然界の音などすべての音を対象とすることができる。さらに、画像情報は静止画だけでなく動画とすることも可能である。
【００９８】
さらに、図１で示した外部機器接続部４２を用いて、パソコンなどと接続することにより、電子手帳に取り込んだデータをパソコンに入力し、パソコン上で、たとえば、電子手帳の或るページに取り込まれた内容に対して他のページの内容をつけ加えるというような編集作業を行うことも可能である。
【００９９】
また、以上説明した実施の形態では、本発明を電子メモ帳のような携帯型の情報収集機器に適用した例を説明したが、本発明は携帯用の情報収集機器に限られるものでなく、情報処理装置に広く適用することができるものである。
【０１００】
また、以上の説明では、画面上に開かれた表示面として表示画面全体を考え、この表示画面をページとして説明したが、これに限らず、１画面上に開かれた１つのウィンドウを１ページと考えて、本発明を適用することもできる。
【０１０１】
【発明の効果】
以上説明したように、本発明によれば、情報入力手段として、文字や線画などを入力する入力手段の他に、画像入力手段、音入力手段などを設け、文字や線画などのインク情報以外にも画像や音情報をも取り込むことができ、しかも、或るページの情報として取り込んだインク情報、画像情報、音情報などの各情報は、そのページに関連づけられた情報として扱い、また、それらの情報を、当該ページの情報として表示用記憶手段（ＶＲＡＭ）に書き込む際、取り込んだ情報の種類ごとに書き込み順序を設定し、その順序に従って、後の順位に設定された情報を前に書き込まれた情報に対して上書きして書き込むようなレイヤ構造とすることにより、これらの情報を取り込む際、取り込む情報ごとにその都度モードを切り替えることなく、ユーザの思うまま自由に情報収集することができ、これらインク情報、画像情報、音情報などの各情報をページ単位の１つのまとまった情報として、視覚化（音情報はアイコン表示）された状態で１画面に表示することができる。
【０１０２】
さらに、本発明では、取り込んだ情報を消去するための消去手段を設け、この消去手段を、たとえば２つ設けて、いずれか一方を操作したときは、画面上に表示された情報のうち、指示された部分の情報のみを消去し、両方を操作したときは、当該ページに関連づけられた情報すべてを消去するというようなことを可能とすることで、或るページデータとして表示されているデータを消去する際、任意の部分のみを消去したり、あるいは、そのページ全体を消去したりすることが簡単な操作で行うことができる。特に、部分的に消去する場合は、その部分をペンでタッチしたり、ペンを動かしたりすることにより、消去するようにしたので、鉛筆書きのメモを消しゴムで消す感覚での消去が可能となり、電子メモ帳としての使い勝手をより一層向上させることができる。
【図面の簡単な説明】
【図１】本発明の実施の形態の構成を説明するブロック図。
【図２】本発明の実施の形態としての電子メモ帳の外観構成図。
【図３】本発明の実施の形態の電子メモ帳に取り込まれた情報の表示例を示す図。
【図４】本発明の実施の形態におけるフラッシュメモリの内容を説明する図。
【図５】本発明の実施の形態におけるフラッシュメモリから表示用メモリ（ＶＲＡＭ）への書き込み処理を説明する図。
【図６】本発明の実施の形態において２つの情報を表示用メモリ（ＶＲＡＭ）重ね書きしたときの表示例を説明する図。
【図７】本発明の実施の形態における再表示処理を説明するフローチャート。
【図８】本発明の実施の形態における情報処理を説明するフローチャート（その１）。
【図９】本発明の実施の形態における情報処理を説明するフローチャート（その２）。
【図１０】本発明の実施の形態における情報処理を説明するフローチャート（その３）。
【図１１】本発明の実施の形態における情報処理を説明するフローチャート（その４）。
【図１２】本発明の実施の形態における情報処理を説明するフローチャート（その５）。
【図１３】従来のマルチメディア情報収集装置の概略構成を示すブロック図。
【符号の説明】
２１  ＣＰＵ
２２  ＲＯＭ
２３  ＣＣＤカメラ
２３ａ  ＣＣＤカメラのレンズ
２４  ＣＣＤコントローラ
２５  マイクロホン
２６  アンプ
２７  Ａ／Ｄ変換器
２８  タブレット
２９  ＬＣＤコントローラ
３０  Ｄ／Ａ変換器
３１  アンプ
３２  スピーカ
３３  フラッシュメモリ
３４  ＲＡＭ
３５  リアルタイムクロック
３６  電源スイッチ
３７  次ページボタン
３８  前ページボタン
４０  音声入力ボタン
４１  ボタン制御回路
４２  外部機器接続部
４３  システムバス
４４ａ，４４ｂ  消去ボタン
５０  表示用メモリ（ＶＲＡＭ）
５１  入力ペン
５２  アイコン
６１，６３，７２  取り込まれた画像例
６２，６４，７１  取り込まれたインク情報例
【図１】
0003867349.tif 000002
【図２】
0003867349.tif 000003
【図３】
0003867349.tif 000004
【図４】
0003867349.tif 000005
【図５】
0003867349.tif 000006
【図６】
0003867349.tif 000007
【図７】
0003867349.tif 000008
【図８】
0003867349.tif 000009
【図９】
0003867349.tif 000010
【図１０】
0003867349.tif 000011
【図１１】
0003867349.tif 000012
【図１２】
0003867349.tif 000013
【図１３】
0003867349.tif 000014